【事件の表示】
　昭和６４年特許願第８３９号「撮像装置」拒絶査定に対する審判事件［平成２年７月１６日出願公開、特開平２−１８２０８６］について、次のとおり審決する。
【結　論】
　本件審判の請求は、成り立たない。
【理　由】
　１．本件発明
　本願は、昭和64年1月7日の出願であって、その発明は、補正された明細書及び図面の記載からみて、特許請求の範囲に記載された「撮像装置」にあると認められるところ、その請求項3に記載された発明（以下「本件発明」という。）は、次に掲げるとおりのものである。
「１水平走査期間毎に、隣接する２行の画素列を独立に読み出して画素信号を出力する撮像素子と、
　該撮像素子の出力信号から１フィールド期間に１フィールド分の水平ラインを含むインタレース画像信号を生成する第１の力メラ回路と、
　該撮像素子の出力信号から１フィールド期間に1フレーム分の水平ラインを含み、且つ前記撮像素子から読み出された２行の画素列夫々毎に２本の水平ラインが順次に配列されてなるノンインタレース画像信号を生成する第２のカメラ回路と
　を備え、該撮像素子から出力される該画素信号を該第１，第２の力メラ回路の両方に供給することにより、該第１のカメラ回路がインタレース画像信号を生成しているときに、該第２のカメラ回路がノンインターレース画像信号を生成することを特徴とする撮像装置」
　２．刊行物発明
　これに対して、原審の拒絶理由に引用された、本願の出願の日前の昭和63年5月31日に頒布された特開昭63-127686号公報には、次に掲げる(1)から(6)の事項からなる撮像装置（以下「刊行物発明」という。）が記載されている。
　(1)２線同時読み出し方式のビデオカメラでは、あるフィールド（以下第１のフィールドという）において上記のような走査を行なうと、次のフィールド（以下第２のフィールドという）では、最初にL２とL3を同時走査し、次にL4とL5を同時走査するというように、１水平ラインずらして同時走査し、第1のフィールドと同様に得られたｗ，ｇ，ｃｙおよびｙｅ信号から１フィールド分の輝度信号と色信号を作っている。そして、第1のフィールドの走査のし方と第2のフィールドの走査のし方を交互に行なうことにより、インタレースされたカラーテレビジョン信号を得ること（3頁左下欄9行から同頁右下欄2行）
　(2)従来は、特開昭59-50684号公報に記載されているように、1H（Hは水平走査期間）の遅延手段を用いて、１フィールド分の走査だけで、フレーム信号を形成する2つのフィールド信号を同時に作り出す工夫がなされていたこと（第5図及び3頁右下欄9行から13行）
　(3)シャッタによりセンサ１が露光されると、駆動走査回路８により、最初にL1とL2,次にL3とL4というように第１のフィールドの走査が行なわれ、出力端子101と102にｗとｇ、出力端子103と104にcyとyeが出力される。得られたｗ,ｇ,cyおよびyeはそのままマトリクス回路671に供給される。この結果、マトリクス回路671からは第１のフィールドの輝度信号Yと色信号ｒおよびｂが得られる。
　一方、マトリクス回路672へは、ｗとｇはそのまま、cyとyeは１H遅延回路91,92を通して供給される。したがって、センサ１に対して第１のフィールドの走査が行なわれると、マトリクス回路672へ供給されるｗ,ｇ,cyおよびyeは、まずL2とL3、次にL4とL5というように、第2のフィールドの走査を行なった時と同じ組み合わせとなる。この結果、マトリクス回路672からは第2のフィールドの輝度信号Yと色信号ｒおよびbが得られること（4頁左上欄3行から同頁右上欄3行）
　(4)上記従来技術は、2線同時読み出し方式のセンサを用いた静止画撮像において互いにインタレースをなす2つのフィールド信号を得ることができること（4頁右下欄4行から7行）
　(5)メモリ2からｗ,ｇ,cyおよびyeを読み出す際には、センサ1から読み出す時と同じように、まずセンサ1の水平ラインL1とL2に対応する情報、次にL3とL4に対応する情報、というように読み出していく。1フィールド分の信号が得られると、今度はL2とL3に対応する情報、L4とL5に対応する情報というように読み出していき、次のフィールドの信号を得る。以上により、出力端子601には、フレーム信号の輝度信号Y、出力端子701および702にはフレーム信号の色信号ｒおよびbを得ることができる。また、最初にL1とL2に対応する情報、2番目にL2とL3に対応する情報、3番目にL3とL4に対応する情報、といった組み合わせで読み出していけば、ノンインタレースの信号を得ることができること（第1図及び5頁左下欄15行から同頁右下欄11行）
　(6)マトリクス回路671からは第1のフィールドのY,r,bが、マトリクス回路672からは第2のフィールドのY,r,bがそれぞれ出力され、これら出力はA/D変換部4,4'でディジタル信号に変換され、メモリ2,2'へ記憶される。次に、フレーム信号を得る場合には、まずメモリ2から第1のフィールドのY,r,bが読み出され、これがD/A変換部5および切換スイッチ10を通して出力される。つづいて、切換スイッチ10が切り換わり、メモリ2'から第2のフィールドのY,r,bが読み出され、D/A変換部5'を通じて出力される。これにより、フレーム信号を得ることができる。
 また、ノンインタレース信号を得る場合には、メモリ2と2'から、1走査づつ交互に読み出しが行なわれ、この読み出された信号はD/A変換部5,5'を通じて切換スイッチ10に供給される。切換スイッチ10では前記メモリの読み出しに同期して切り換えが行なわれる。これにより、ノンインタレース信号を得ることができる。
　本実施例によれば、主にメモリからの読み出し方と切換スイッチの動作を変えることによりフレーム信号とノンインタレース信号とを得ることができる。また、これらの信号をくり返し出力してテレビジョン受像機に表示することもできること（第14図及び11頁右上欄13行から同頁右下欄1行）
　３．刊行物発明と本件発明との対比
　そこで、刊行物発明における事項と本件発明における事項とは、次に掲げる(1)(2)(3)の事項が相当する。
　(1)刊行物発明における「センサ1」は、2線同時読みだし方式（上記２(4)を参照）であるから、本件発明における「撮像素子」に相当する。
　(2)刊行物発明における「マトリクス回路671」は、インターレース画像信号を生成している（上記２(1)から(4)を参照）から、本件発明における「第１のカメラ回路」に相当する。
　(3)刊行物発明における「マトリクス回路672、A/D変換部4,4'、メモリ2と2'、D/A変換部5,5'及び切換スイッチ10」は、インターレース画像信号を生成している（上記２(5)(6)を参照）から、本件発明における「第１のカメラ回路」に相当する。
　なお、上記(1)(3)(5)において、水平ラインについては、小文字(l)であるところを大文字(L)で表記した。
　４．刊行物発明と本件発明との一致点・相違点
　上記３の対比から刊行物発明と本件発明とは、
「１水平走査期間毎に、隣接する２行の画素列を独立に読み出して画素信号を出力する撮像素子と、
　該撮像素子の出力信号から１フィールド期間に１フィールド分の水平ラインを含むインタレース画像信号を生成する第１の力メラ回路と、
　該撮像素子の出力信号から１フィールド期間に1フレーム分の水平ラインを含み、且つ前記撮像素子から読み出された２行の画素列夫々毎に２本の水平ラインが順次に配列されてなるノンインタレース画像信号を生成する第２のカメラ回路と
　を備え、該撮像素子から出力される該画素信号を該第１，第２の力メラ回路の両方に供給することにより、該第２のカメラ回路がノンインターレース画像信号を生成することを特徴とする撮像装置」で一致し、次に掲げる点で相違する。
　上記「ノンインターレース画像信号の生成」が、本件発明においては「第１のカメラ回路がインタレース画像信号を生成しているときに」であるのに対して、刊行物発明においては、どのようなときに生成するのか明記されていない点
　５．相違点についての検討
　刊行物発明において、センサ1からの出力がマトリクス回路671,672に同時に入力されていることから「第１のカメラ回路がインタレース画像信号を生成」するとともに、「ノンインターレース画像信号が生成」されることは、自明なことと認められる。
　なお、上記２(2)に記載したように、刊行物発明の従来技術（第5図）の説明で引用されている特開昭59-50684号公報（特に、5頁左上欄11行から14行を参照）には、同時に生成されることが明記されている。
　したがって、「ノンインターレース画像信号の生成」を「第１のカメラ回路がインタレース画像信号を生成しているときに」することは、当業者であれば、適宜なし得ることと認められる。
　６．むすび
　以上のとおりであるから、本件発明は、刊行物発明に基いて、当業者が容易に発明をすることができたものと認められるので、特許法第29条第2項の規定により特許を受けることができない。
　したがって、本願特許請求の範囲の他の請求項に記載された発明について、論及するまでもなく、本願は拒絶すべきものである。
　よって、結論のとおり審決する。